(57)【要約】【課題】実際に故障が発生していない場合であっても、特定の故障を想定した模擬的なトリップ動作及びリトライ動作を容易に再現する。【解決手段】インバータ装置は、負荷が接続されるインバータ主回路と、インバータ主回路の出力を停止させるトリップ動作を実行するトリップ手段と、トリップ動作を実行した後に自動でインバータ主回路の出力を再開させるリトライ動作を実行するリトライ手段と、トリップ動作時におけるモニタデータを記録可能な記録手段と、を備える。トリップ手段は、トリップ動作として、インバータ主回路に実際に生じた故障に基づく実際のトリップ動作と、実際のトリップ動作を模擬した模擬のトリップ動作と、を実行可能である。リトライ手段は、リトライ動作として、実際のトリップ動作の後に実行される実際のリトライ動作と、実際のリトライ動作を模擬した模擬のリトライ動作と、を実行可能である。【選択図】図３
2015042029.tif 000002
【特許請求の範囲】
【請求項１】
負荷が接続されるインバータ主回路と、
前記インバータ主回路の出力を停止させるトリップ動作を実行するトリップ手段と、
前記トリップ動作を実行した後に自動で前記インバータ主回路の出力を再開させるリトライ動作を実行するリトライ手段と、
前記トリップ動作時におけるモニタデータを記録可能な記録手段と、を備え、
前記トリップ手段は、前記トリップ動作として、前記インバータ主回路に実際に生じた故障に基づく実際のトリップ動作と、前記実際のトリップ動作を模擬した模擬のトリップ動作と、を実行可能であって、
前記リトライ手段は、前記リトライ動作として、前記実際のトリップ動作の後に実行される実際のリトライ動作と、前記実際のリトライ動作を模擬した模擬のリトライ動作と、を実行可能であるインバータ装置。
【請求項２】
前記トリップ動作は、前記インバータ主回路の故障の種類に応じて複数種類あって、
前記リトライ動作は、前記トリップ動作の種類に応じて複数種類あって、
複数の前記トリップ動作及び複数の前記リトライ動作は、それぞれ原因となる故障の種類に応じて挙動が異なる請求項１に記載のインバータ装置。
【請求項３】
前記トリップ動作及び前記リトライ動作を実行するための設定データをさらに備え、
前記設定データは、前記故障の種類を識別するとともに、前記実際のトリップ動作と前記模擬のトリップ動作とを識別するための識別コードを有している請求項１又は２に記載のインバータ装置。
【請求項４】
前記模擬のトリップ動作が実行された場合にその模擬のトリップ動作時におけるモニタデータの記録の有無を選択可能である請求項１から３のいずれか一項に記載のインバータ装置。
【請求項５】
前記模擬のトリップ動作が実行されてから前記模擬のリトライ動作を実行するまでの時間を任意に設定可能である請求項１から４のいずれか一項に記載のインバータ装置。
【請求項６】
前記トリップ動作の実行後に、当該トリップ動作の原因となった前記インバータ主回路の故障の種類を識別するための出力故障コードを外部へ出力する出力手段をさらに備え、
前記出力手段は、前記トリップ動作が実際のトリップ動作であるか模擬のトリップ動作であるかに関わらず、同種類の故障につき同一内容の出力故障コードを出力する請求項１から５のいずれか一項に記載のインバータ装置。
【請求項７】
前記トリップ手段は、所定の入力信号を検出した後に所定の条件が成立した場合に前記模擬のトリップ動作を実行する請求項１から６のいずれか一項に記載のインバータ装置。
【発明の詳細な説明】
【技術分野】
【０００１】
本発明の実施形態は、インバータ装置に関する。
【背景技術】
【０００２】
一般に、インバータ装置は、インバータ主回路に生じた各種の故障を検出する機能を備えている。このようなインバータ装置は、故障を検出した場合にインバータ主回路の出力を停止するトリップ動作を備えるとともに、その故障が軽微なものである場合には自動でインバータ主回路の出力を再開するリトライ動作を備えている。
【０００３】
このような構成のインバータ装置において、トリップ動作からリトライ動作までの一連の動作を確認するため、トリップ動作及びリトライ動作を意図的に生じさせたいとのユーザニーズがある。従来の構成においても、外部入力による信号に基づいてトリップ動作を強制的に実行し、その後、リトライ動作を実行することは出来る。しかし、この場合、トリップ動作を発生させた時点においては、実際にはインバータ主回路にトリップ動作の原因となる故障は発生していなため、特定の故障を想定した模擬的なトリップ動作及びリトライ動作を再現することは出来なかった。
【先行技術文献】
【特許文献】
【０００４】
【特許文献１】特開平７−３０８０７４号公報
【発明の概要】
【発明が解決しようとする課題】
【０００５】
そこで、実際に故障が発生していない場合であっても、特定の故障を想定した模擬的なトリップ動作及びリトライ動作を容易に再現することができるインバータ装置を提供する。
【課題を解決するための手段】
【０００６】
本実施形態のインバータ装置は、負荷が接続されるインバータ主回路と、前記インバータ主回路の出力を停止させるトリップ動作を実行するトリップ手段と、前記トリップ動作を実行した後に自動で前記インバータ主回路の出力を再開させるリトライ動作を実行するリトライ手段と、前記トリップ動作時におけるモニタデータを記録可能な記録手段と、を備える。前記トリップ手段は、前記トリップ動作として、前記インバータ主回路に実際に生じた故障に基づく実際のトリップ動作と、前記実際のトリップ動作を模擬した模擬のトリップ動作と、を実行可能である。前記リトライ手段は、前記リトライ動作として、前記実際のトリップ動作の後に実行される実際のリトライ動作と、前記実際のリトライ動作を模擬した模擬のリトライ動作と、を実行可能である。
【図面の簡単な説明】
【０００７】
【図１】第一実施形態によるインバータ装置の電気的構成を示す図
【図２】設定データを表にして示す図
【図３】制御回路による制御内容を示すフローチャート
【図４】トリップ及びリトライ処理の制御内容を示すフローチャート
【図５】トリップ記録処理の制御内容を示すフローチャート
【図６】モニタデータの一例を表にして示す図
【図７】第二実施形態による図３相当図
【発明を実施するための形態】
【０００８】
以下、複数の実施形態によるインバータ装置を、図面を参照して説明する。なお、各実施形態において実質的に同一の構成部位には同一の符号を付し、説明を省略する。
【０００９】
（第一実施形態）
まず、第一実施形態について、図１から図６を参照して説明する。
インバータ装置１０は、図１に示すように、インバータ回路１１、整流回路１２、電圧検出回路１３、電流検出回路１４、駆動回路１５、制御電源回路１６、制御回路１７、及び操作パネル１８等を備えている。インバータ回路１１は、例えばスイッチング素子を三相ブリッジ接続して構成されるインバータ部から構成されている。インバータ回路１１の入力側には、整流回路１２を介して三相の交流電源５１が接続される。インバータ回路１１の出力側には、負荷となる例えばモータ５２が接続される。
【００１０】
整流回路１２は、交流電源５１から供給される三相の交流電圧を整流して直流電圧に変換し、インバータ回路１１へ供給する。電圧検出回路１３は、制御回路１７に接続されており、インバータ回路１１に印加される電圧を検出する。電流検出回路１４は、制御回路１７に接続されており、インバータ回路１１を流れる電流を検出する。駆動回路１５は、制御回路１７で生成された制御信号をインバータ回路１１へ出力する。インバータ回路１１は、駆動回路１５を介して制御回路１７から制御信号を受けて、三相交流電圧をモータ５２へ供給する。これによりモータ５２は、周波数指令に応じた速度で運転される。
【００１１】
制御電源回路１６は、制御回路１７や操作パネル１８などに直流電圧を供給する。制御回路１７は、ＣＰＵ、ＲＯＭ、ＲＡＭ、Ａ／Ｄ変換器、各種インタフェース回路などを有するマイクロコンピュータを主体に構成されている。制御回路１７は、ＲＯＭに書き込まれた制御プログラムに従い、モータ制御、各種設定、表示、入出力などに関する処理を実行する。
【００１２】
操作パネル１８は、例えば７セグメントＬＥＤ表示器などで構成された表示部１８１と、複数の操作スイッチ１８２、１８３と、を有している。操作パネル１８は、操作スイッチ１８２、１８３により使用者の操作入力を受けるとともに、インバータ装置１０の運転状態などを表示部１８１に表示する。なお、表示部１８１は、液晶表示器などであってもよい。
【００１３】
インバータ装置１０は、入出力回路１９、温度センサ２０、及び記録回路２１を備えている。入出力回路１９は、入力端子１９１及び出力端子１９２に繋がっている。入力端子１９１及び出力端子１９２には、各種の外部機器が接続される。制御回路１７は、入出力回路１９を介して、入力端子１９１に接続された外部機器から信号を受け、出力端子１９２に接続された外部機器へ信号を出力する。温度センサ２０は、例えばサーミスタ等で構成されており、インバータ回路１１の温度を検出する。
【００１４】
インバータ装置１０の外部にあって、整流回路１２と交流電源５１との間には、回路遮断器５３が設けられている。回路遮断器５３は、出力端子１９３を介し、入出力回路１９を経由して制御回路１７に接続されている。制御回路１７から出力された制御信号は、出力端子１９３から回路遮断器５３へ出力される。回路遮断器５３は、その制御回路１７からの制御信号を受けて、接続状態と遮断状態とを切り替える。制御回路１７は、電圧検出回路１３、電流検出回路１４、及び温度センサ２０等の検出結果に基づいてインバータ回路１１の故障を監視する。そして、制御回路１７は、インバータ回路１１の故障を検出した場合には、トリップ動作としてインバータ回路１１の出力を遮断し、モータ５２への電力供給を停止する。
【００１５】
制御回路１７は、トリップ動作を実行した後、トリップ動作の原因となった故障が軽微なものであれば、インバータ回路１１からの出力を自動で再開するためのリトライ動作を実行する。すなわち、制御回路１７は、インバータ回路１１の出力を停止させるトリップ動作を実行するトリップ手段、及びトリップ動作を実行した後に自動でインバータ回路１１の出力を再開させるリトライ動作を実行するリトライ手段として機能する。
【００１６】
なお、本実施形態において故障とは、単に電気的・機械的な故障のみならず、例えばインバータ回路１１の電流値が定格値又は設定値を上回った場合や、インバータ回路１１の温度が定格値又は設定値を上回った場合等の異常を含む概念を意味するものとする。つまり、インバータ装置１０の故障とは、インバータ回路１１からの出力を継続することが好ましくない状態をも意味するものとする。
【００１７】
記録回路２１は、制御回路１７に接続され、例えばフラッシュメモリやＥＥＰＲＯＭなど書き換え可能な不揮発性メモリを有している。記録回路２１は、使用者によって変更された各種の設定内容や、必要に応じてインバータ装置１０の故障や、運転及び停止等の履歴に関する履歴、例えばトリップ動作時やリトライ動作時のモニタデータを記録する。すなわち、記録回路２１は、トリップ動作時及びリトライ動作時におけるモニタデータを記録可能な記録手段として機能する。記録回路２１は、トリップ動作時のモニタデータについて、所定回数分例えば過去８回分のモニタデータを記録可能に構成されている。なお、記録手段としての記録回路２１は、インバータ装置１０に内蔵されたものに限られず、インバータ装置１０とは別に構成された例えばＵＳＢメモリなど外部記憶装置であってもよい。
【００１８】
インバータ装置１０は、実際にインバータ回路１１に故障が生じていなくても、実際の故障が生じた場合におけるトリップ動作及びリトライ動作と同様のトリップ動作及びリトライ動作を模擬的に実行させることができる。すなわち、制御回路１７は、トリップ動作として、インバータ回路１１に実際に生じた故障に基づく実際のトリップ動作と、その実際のトリップ動作を模擬した模擬のトリップ動作とを実行可能である。また、制御回路１７は、リトライ動作として、実際のトリップ動作の後に実行される実際のリトライ動作と、その実際のリトライ動作を模擬した模擬のリトライ動作とを実行可能である。この模擬のリトライ動作は、模擬のトリップ動作を実行した後に実行される。
【００１９】
模擬のトリップ動作及び模擬のリトライ動作は、次のようにして実行される。例えばインバータ装置１０が内部に備えるパラメータを所定値に設定することにより、模擬のトリップ動作を実行させ、その後、自動的に模擬のリトライ動作が実行される。又は、特定の入力端子１９１の機能として模擬のトリップ動作を関連付ける。そして、その特定の入力端子１９１にＯＮ信号を入力することにより、関連付けた模擬のトリップ動作を実行させ、その後、自動的に模擬のリトライ動作を実行させる。
【００２０】
インバータ装置１０は、インバータ回路１１の故障の種類に応じて複数種類のトリップ動作を備えている。また、インバータ装置１０は、トリップ動作の種類に応じて複数種類のリトライ動作を備えている。そして、これら複数種類のトリップ動作及びリトライ動作は、それぞれその動作の原因となる故障の種類に応じて最適化されている。したがって、これら複数種類のトリップ動作及びリトライ動作は、それぞれその動作の原因となる故障の種類に応じて挙動が異なるように設定されている。インバータ装置１０は、図２に示すように、故障の種類に応じたトリップ動作及びリトライ動作を実行するための設定データを備えている。制御回路１７は、この設定データに基づいて、トリップ動作及びリトライ動作を実行する。
【００２１】
設定データは、図２に示すように、故障種類、故障内容、識別コード、トリップ記録の有無、リトライ設定、リトライ回数、出力故障コード、及びリトライ待機時間に関する情報で構成されている。なお、以下の設定データに関して識別コード以外の説明については、実際のトリップ動作と模擬のトリップ動作、及び実際のリトライ動作と模擬のリトライ動作を特に区別しない。すなわち、設定データに関して識別コード以外の説明については、トリップ動作とした場合には、実際のトリップ動作と模擬のトリップ動作との両者を意味するものとし、リトライ動作とした場合には、実際のリトライ動作と模擬のリトライ動作との両者を意味するものとする。
【００２２】
故障種類は、インバータ回路１１に実際に発生した又は模擬的に発生させた故障の種類を示すものであり、故障内容は、その故障の具体的な内容を示すものである。例えば故障種類ＯＣ１は、モータ５２の加速中に過電流が生じた場合を示す。故障種類ＯＬ１は、インバータ過負荷が生じた場合を示す。
【００２３】
識別コードは、設定データが示す故障の種類、その故障の内容、及びその故障が実際に生じたものであるか模擬的なものであるかを識別するためのものである。すなわち、識別コードは、設定データが示す故障の種類を識別するとともに、設定データに基づいて実行されるトリップ動作が、実際のトリップ動作であるか模擬のトリップ動作であるかを識別するための情報である。
【００２４】
設定データが有する識別コードは、故障コード又は模擬故障コードのいずれか一方に設定される。故障コードは、その故障が実際に生じたものであることを示す。つまり、実際の故障に基づいてトリップ動作及びリトライ動作をするための設定データには、故障コードが付されている。一方、模擬故障コードは、その故障が模擬的に発生させたものであることを示す。つまり、模擬の故障に基づいて模擬トリップ動作及び模擬リトライ動作を実行するための設定データには、模擬故障コードが付されている。
【００２５】
識別コードは、図２に示すように、例えば４桁の１０進数の数値で構成されている。４桁の識別コードのうち下２桁は、故障コード及び模擬故障コードで共通しており、故障の種類すなわち故障の内容を示している。図２に示すように、例えば識別コードのうち下２桁が「０１」であれば、加速中の過電流による故障を示し、「１３」であればインバータ過負荷による故障を示している。
【００２６】
識別コードのうち３桁目以降は、故障コード及び模擬故障コードで異なる値が設定されている。この場合、識別コードの３桁目が「０」であれば故障コードであることを示し、「１」であれば模擬故障コードであることを示している。これにより、使用者又は制御回路１７は、識別コードのうち、下２桁の数値によって故障の種類を判断でき、３桁目以降の数値によってその故障が実際に生じたものであるか模擬的なものであるかを判断することができる。
【００２７】
出力故障コードは、故障の種類に関する情報を外部機器へ出力するためものである。出力故障コードは、故障が実際に生じたものであるか模擬的に生じさせたものであるかに関わらず、すなわち、設定データの識別コードが故障コードであるか模擬故障コードであるかに関わらず、故障の種類に応じて共通の値に設定されている。例えば、加速中の過電流ＯＣ１、減速中の過電流ＯＣ２、及び定速運転中の過電流ＯＣ３による故障であれば、その出力故障コードは「０００１」となる。また、インバータ回路１１の過熱ＯＨによる故障であれば、その出力故障コードは「０００９」となる。
【００２８】
リトライ設定は、トリップ動作を実行した後に、リトライ動作を実行するか否かに関する設定である。制御回路１７は、リトライ設定が「有り」の場合、トリップ動作を実行した後に、リトライ動作を実行する。一方、制御回路１７は、リトライ設定が「無し」の場合、リトライ動作を実行しない。
【００２９】
リトライ回数は、リトライ動作の実行によってインバータ回路１１の出力の再開すなわち再始動が成功しなかった場合に、リトライ動作を実行する上限の回数を示す。例えば設定データＯＬ２においてリトライ設定「有り」及びリトライ回数「３」と設定されている場合、制御回路１７は、トリップ動作を実行した後、インバータ回路１１の再始動が成功するまで、３回を上限としてリトライ動作を実行する。
【００３０】
リトライ待機時間は、次回のリトライ動作を実行するまでの待機時間である。つまり、リトライ待機時間は、トリップ動作を実行してから最初にリトライ動作を実行するまでの時間、又は前回のリトライ動作に失敗し再度トリップ動作を実行してから次回のリトライ動作を実行するまでの時間である。使用者は、このリトライ待機時間を任意に変更し設定することができる。
【００３１】
例えば図２に示すモータ過負荷に関する設定データＯＬ２では、リトライ回数は「３」、リトライ待機時間は「Ｓ（ｎ）＝Ｓ（ｎ-１）＋１［秒］」に設定されている。この場合、ｎはリトライ回数を示し、Ｓ（０）＝０［秒］に設定されている。この場合、リトライ待機時間は、次に実行しようとするリトライ動作が何回目かによって変更される。この例においては、トリップ動作を実行してから最初にリトライ動作を実行するまでの待機時間は、Ｓ（１）＝１［秒］となる。また、最初にリトライ動作を実行してから次ぎのリトライ動作を実行するまでの待機時間は、Ｓ（２）＝２［秒］となる。また、過熱に関する設定データＯＨでは、リトライ回数は「３」、リトライ待機時間は「３０［秒］」に設定されている。この場合、リトライ待機時間は、次に実行しようとするリトライ動作が何回目かに関わらず、一律に３０［秒］に設定されている。
【００３２】
インバータ装置１０は、トリップ動作を実行した場合、インバータ装置１０に接続された上位の機器に対し、そのトリップ動作の原因となった故障に応じた出力故障コードを出力する。出力故障コードを受けた上位の機器は、その出力故障コードに基づいてインバータ装置１０に故障が発生したこと及びその故障の種類を判断し、その故障に応じた制御を実行する。
【００３３】
次に、インバータ装置１０による模擬のトリップ動作及び模擬のリトライ動作に関する具体的な制御内容について説明する。使用者は、あらかじめ、複数の入力端子のうち任意の入力端子の機能、この場合、入力端子１９１の機能として、模擬的に発生させたいトリップ動作に関する故障、例えばモータ過負荷に関する設定データＯＬ２を割り付けておく。
【００３４】
制御回路１７は、図３に示すように、インバータ装置１０の電源が投入されると（開始）、ステップＳ１１において通常処理、例えばＲＵＮスイッチ１８２やＳＴＯＰスイッチ１８３の操作や入力端子１９１からの入力に従ったインバータ回路１１からのモータ５２に対する駆動処理や、表示部１８１への表示処理を実行する。制御回路１７は、通常処理の後、ステップＳ１２において、模擬トリップ動作を割り付けた入力端子、この場合、入力端子１９１に対してＯＮ信号が入力されたか否かを判断する。制御回路１７は、入力端子１９１に対するＯＮ信号を検出しない場合（ステップＳ１２でＮＯ）、ステップＳ１１へ移行し、ステップＳ１１とステップＳ１２とを繰り返す。
【００３５】
一方、制御回路１７は、入力端子１９１に対するＯＮ信号の入力を検出すると（ステップＳ１２でＹＥＳ）、ステップＳ１３へ移行し、入力端子１９１に割り付けられた模擬のリトライ動作に対応する設定データを読み出す。この場合、入力端子１９１にはモータ過負荷に関するトリップ動作の機能が割り付けられているため、制御回路１７は、モータ過負荷に関する設定データＯＬ２を読み出す。そして、制御回路１７は、ステップＳ１４へ移行してトリップ及びリトライ処理を実行する。
【００３６】
制御回路１７は、ステップＳ１４でトリップ及びリトライ処理を実行すると、図４に示すステップＳ２１へ移行する。制御回路１７は、ステップＳ１３で読み出した設定データに基づいて、実行すべき模擬のトリップ動作及び模擬のリトライ動作を決定する。その後、ステップＳ２２において、制御回路１７は、読み出した設定データ、この場合、モータ過負荷に関する設定データＯＬ２に基づいて、モータ過負荷に関する模擬のトリップ動作を実行する。すると、制御回路１７は、インバータ回路１１への出力を遮断し、これに伴いモータ５２への電源供給を停止する。
【００３７】
次に、制御回路１７は、ステップＳ２３において、トリップ動作の原因となった故障種類に対応する出力故障コードを出力端子１９２から出力する。本実施形態において、制御回路１７は、モータ過負荷の故障に対応する出力故障コード「０００８」を、出力端子１９２から外部機器へ出力する。この場合、入出力回路１９及び出力端子１９２は、出力手段として機能する。
【００３８】
次に、制御回路１７は、ステップＳ２４において、読み出した設定データについてリトライ設定の有無を判断する。制御回路１７は、リトライ設定が「無し」の場合（ステップＳ２４でＮＯ）、トリップ及びリトライ処理を終了し（リターン）、図３に示すステップＳ１５へ移行する。一方、制御回路１７は、リトライ設定が「有り」の場合（ステップＳ２４でＹＥＳ）、ステップＳ２５へ移行する。本実施形態の場合、モータ過負荷についての設定データＯＬ２は、リトライ設定「有り」となっているため（ステップＳ２４でＹＥＳ）、制御回路１７は、ステップＳ２５へ移行する。
【００３９】
制御回路１７は、ステップＳ２５において、読み出した設定データに基づいて、これから実行するリトライ動作の上限回数つまりリトライ回数と、リトライ待機時間とを決定する。モータ過負荷に関する設定データＯＬ２に基づくと、リトライ回数は「３回」、リトライ待機時間は「Ｓ（ｎ）＝Ｓ（ｎ-１）＋１［秒］」となる。この場合、各回のリトライ待機時間は、１回目のリトライ動作で１秒、２回目のリトライ動作で２秒、３回目のリトライ動作で３秒となる。
【００４０】
次に、制御回路１７は、ステップＳ２６において、設定データ、この場合モータ過負荷に関する設定データＯＬ２の識別コードが故障コードであるか模擬故障コードであるかを判断する。制御回路１７は、識別コードが故障コードである場合（ステップＳ２６でＮＯ）、ステップＳ２７を実行することなくステップＳ２８へ移行する。一方、制御回路１７は、識別コードが模擬故障コードである場合（ステップＳ２６でＹＥＳ）、ステップＳ２７へ移行して過負荷積算データを１００％に設定する。
【００４１】
過負荷積算データとは、制御回路１７が設定データとは別に記憶しているデータであって、モータ過負荷の判断を行うためのものである。例えば、モータ過負荷の判断について閾値が１００％に設定されている場合、制御回路１７は、過負荷積算データが１００％を超えると、モータ５２が過負荷であると判断する。
【００４２】
次に、制御回路１７は、ステップＳ２８でリトライ待機時間が経過したか否かを判断し、ステップＳ２９で過負荷積算データが５０％以下になったか否かを判断する。制御回路１７は、リトライ待機時間が経過していな場合（ステップＳ２８でＮＯ）、又は過負荷積算データが５０％以下になっていない場合（ステップＳ２９でＮＯ）、ステップＳ３０へ移行する。そして、制御回路１７は、ステップＳ３０において、過負荷積算データの値を経過時間に応じた所定値分、例えば経過時間１秒毎に１０％減算する。その後、制御回路１７は、リトライ待機時間を経過し（ステップＳ２８でＹＥＳ）、かつ、過負荷積算データが５０％以下となるまで（ステップＳ２９でＹＥＳ）、ステップＳ２８〜ステップＳ３０を繰り返す。
【００４３】
制御回路１７は、リトライ待機時間が経過し（ステップＳ２８でＹＥＳ）、かつ、過負荷積算データが５０％以下になると（ステップＳ２９でＹＥＳ）、ステップＳ３１へ移行し、リトライ動作を実行する。本実施形態では、モータ過負荷に関するトリップ動作を実行した場合におけるリトライ動作を実行する。すなわち、制御回路１７は、過負荷積算データが一旦１００％を超えた場合には、リトライ待機時間が経過し（ステップＳ２８でＹＥＳ）、かつ、過負荷積算データが５０％以下となった場合に（ステップＳ２９でＹＥＳ）、モータ５２の負荷が安全領域に入ったと判断して、インバータ回路１１の出力を再開可能な状態にする。
【００４４】
その後、制御回路１７は、ステップＳ３２において、リトライ動作が成功したか否か、すなわちインバータ回路１１の再始動が成功したか否かを判断する。制御回路１７は、この再始動の成功の判断において、例えばリトライ動作の実行後、一定期間トリップ動作が実行されずに安定して運転された場合に成功と判断する。
【００４５】
制御回路１７は、インバータ回路１１の再始動が失敗した場合（ステップＳ３２でＮＯ）、ステップＳ３３へ移行し、リトライ回数を１減算する。その後、制御回路１７は、ステップＳ３４へ移行し、現在のリトライ回数が残り０であるか否かを判断する。制御回路１７は、リトライ回数の残りがあれば（ステップＳ３４でＮＯ）、ステップＳ２６へ移行し、再始動が成功するまで（ステップＳ３２でＹＥＳ）、又はリトライ回数の残りが０になるまで（ステップＳ３４でＹＥＳ）、リトライ動作を繰り返す。制御回路１７は、インバータ回路１１の再始動が成功した場合（ステップＳ３２でＹＥＳ）、又はリトライ回数の残りが０になった場合（ステップＳ３４でＹＥＳ）、トリップ及びリトライ処理を終了し（リターン）、図３に示すステップＳ１５へ移行する。
【００４６】
制御回路１７は、ステップＳ１５に示すトリップ記録処理において、実際の故障に基づいてトリップ動作及びリトライ動作を実行した場合、その識別コード及び実際のトリップ動作時のモニタデータを記録回路２１に記録する。一方、制御回路１７は、模擬の故障に基づいて模擬のトリップ動作及び模擬のリトライ動作を実行した場合、トリップ記録の設定が有れば、その模擬故障コード及び模擬のトリップ動作時のモニタデータを記録回路２１に記録し、トリップ記録の設定が無ければモニタデータを記録しない。
【００４７】
具体的には、制御回路１７は、ステップＳ１５においてトリップ記録処理を実行すると、図５のステップＳ４１へ移行する。ステップＳ４１において、制御回路１７は、選択された設定データの識別コードが、故障コードであるか模擬故障コードであるかを判断する。設定データの識別コードが模擬故障コードでない場合つまり故障コードである場合（ステップＳ４１でＮＯ）、制御回路１７は、ステップＳ４３へ移行する。設定データの識別コードが模擬故障コードである場合（ステップＳ４１でＹＥＳ）、制御回路１７は、ステップＳ４２へ移行し、選択された設定データについてのトリップ記録の要否を判断する。
【００４８】
制御回路１７は、トリップ記録の設定が「有り」であれば（ステップＳ４２でＹＥＳ）、ステップＳ４３へ移行する。そして、制御回路１７は、ステップＳ４３において、選択された設定データについての故障コード及び実際のトリップ動作時のモニタデータ、又は、模擬故障コード及び模擬のトリップ動作時のモニタデータを記録回路２１の不揮発性メモリに記録する。一方、制御回路１７は、トリップ記録の設定が「無し」であれば（ステップＳ４２でＮＯ）、トリップ動作時のモニタデータを記録回路２１に記録することなく、トリップ記録処理を終了する（リターン）
トリップ動作時のモニタデータは、図６に示すように、識別コード、インバータステータス、出力周波数、周波数指令、出力電流、入力電圧等の種々の計測データで構成されている。ここで、実際のトリップ動作時のモニタデータを実際のモニタデータとし、模擬のトリップ動作時のモニタデータを模擬のモニタデータとする。図６には、実際のモータ過負荷時におけるトリップ動作時のモニタデータすなわち実際のモニタデータ（ａ）と、模擬のモータ過負荷時におけるトリップ動作時のモニタデータすなわち模擬のモニタデータ（ｂ）とを示している。この場合、実際のモニタデータ（ａ）について、その識別コードは、故障コードである「００１４」に設定されている。これに対し、模擬のモニタデータ（ｂ）について、その識別コードは、模擬故障コードである「０１１４」に設定されている。
【００４９】
また、実際のモニタデータ（ａ）において、その出力電流は、「３０．０Ａ」を示している。これに対し、模擬のモニタデータ（ｂ）において、その出力電流は、「１０．０Ａ」を示している。このように、模擬のモニタデータ（ｂ）の出力電流は、実際のモニタデータ（ａ）の出力電流よりも低い値を示す。これは、模擬のトリップ動作時において、モータ５２の過負荷は実際には生じていないため、模擬のモニタデータ（ｂ）における出力電流は正常な値、この場合、実際のモニタデータ（ａ）の出力電流に比べて低い値を示すからである。
【００５０】
インバータ装置１０は、実際のトリップ動作を模擬した模擬のトリップ動作を実行する模擬トリップ手段として制御回路１７を備えている。これによれば、使用者は、インバータ回路１１に実際に故障が発生していない場合であっても、特定の故障を想定した模擬的なトリップ動作及びリトライ動作を容易に再現することができる。
【００５１】
インバータ装置１０は、当該インバータ装置１０が本来備える複数種類のトリップ動作を模擬した複数種類の模擬のトリップ動作、及び複数種類のリトライ動作を模擬した複数種類の模擬のリトライ動作と、を備えている。これによれば、使用者は、各種の故障に対応したより詳細なトリップ動作及びリトライ動作を確認することができる。
【００５２】
インバータ装置１０は、模擬のトリップ動作が実行された場合にその模擬のトリップ動作時におけるモニタデータの記録の有無を選択可能に構成されている。これによれば、模擬トリップ動作によるモニタデータを記録させないことができるため、記録回路２１の記録容量の圧迫を回避することができる。また、これによれば、過去の故障履歴として記録回路２１に記録されたモニタデータが、全て意図的に発生された模擬のトリップ動作に関するデータである、という事態を回避することができる。そのため、例えばインバータ装置１０が故障等で製造業者に返却された場合、製造業者は、記録回路２１に記録された実際の故障の履歴を活用して、故障状態の解析等を行うことができ、メンテナンス性が向上される。
【００５３】
インバータ装置１０は、トリップ動作及びリトライ動作を実行するための設定データを備えている。設定データの識別コードは、実際のトリップ動作と模擬のトリップ動作とで異なっている。すなわち、実際のトリップ動作の場合の識別コードは、故障コードに設定され、模擬トリップ動作の場合の識別コードは、模擬故障コードに設定されている。これによれば、使用者は、識別コードが故障コードであるか模擬故障コードであるかを判断することで、その故障が実際に生じた故障であるか、模擬的に発生された故障であるかの判断を容易にすることができる。
【００５４】
模擬のトリップ動作が実行されてから模擬のリトライ動作を実行するまでの時間は、使用者の任意で設定可能に構成されている。これによれば、使用者は、より詳細に故障に伴う模擬のトリップ動作及び模擬のリトライ動作の再現をすることができる。
【００５５】
制御回路１７は、実際のトリップ動作時と、模擬のトリップ動作時において、同一の出力故障コードを出力端子１９２から外部機器へ出力する。これによれば、インバータ装置１０と外部機器とを組み合わせた状態で模擬のトリップ動作及び模擬のリトライ動作を実行する際、外部機器は、実際のトリップ動作時と模擬のトリップ動作時とにおいて同一内容の出力信号を受ける。従って、この場合、外部機器は、インバータ装置１０に生じた故障が実際に生じたものか模擬的なものかを判断する必要がない。その結果、外部機器について特別な設定変更を要さずに、インバータ装置１０と外部機器とを組合せ状態で模擬のトリップ動作及び模擬のリトライ動作を実行することができる。
【００５６】
（第二実施形態）
次に、第二実施形態について図７を参照して説明する。
第二実施形態において、インバータ装置１０は、インバータ装置１０に予め組み込まれたトリップ動作だけでなく、各信号やモニタ値の任意の条件により、模擬のトリップ動作及び模擬のリトライ動作を発生させることができる。制御回路１７は、模擬のトリップ動作を実行するか否かの判断をする際、ＯＮ信号が入力端子１９１に入力されることを契機として、成立条件の達成を判断する。成立条件は、例えばＯＮ信号の入力を検出した後所定時間経過した場合、過負荷積算データが１００％を超えた場合、又は出力電流値が３０．０Ａを超えた場合等、種々の条件が考えられる。
【００５７】
具体的には、制御回路１７は、図７に示すように、ステップＳ１１においてインバータ装置１０の通常処理を行った後、入力端子１９１に接続された外部機器からＯＮ信号が入力されたことを検出し（ステップＳ１２でＹＥＳ）、設定データを読み出すと（ステップＳ１３）、ステップＳ５１へ移行する。制御回路１７は、ステップＳ５１において、読み出された設定データに成立条件が設定されているか否かを判断する。制御回路１７は、読み出された設定データに成立条件が設定されていない場合（ステップＳ５１でＮＯ）、ステップＳ１４へ移行する。
【００５８】
制御回路１７は、選択された設定データに成立条件が設定されている場合（ステップＳ５１でＹＥＳ）、ステップＳ５２へ移行し、その成立条件が達成されたか否かを判断する。制御回路１７は、成立条件が達成されていない場合（ステップＳ５２でＮＯ）、ステップＳ１１へ移行し、その成立条件が達成されるまでステップＳ１１〜ステップＳ５２を繰り返す。一方、制御回路１７は、成立条件が達成された場合（ステップＳ５２でＹＥＳ）、ステップＳ１４へ移行する。その後、制御回路１７は、上記第一実施形態と同様に、ステップＳ１４においてトリップ及びリトライ処理を実行し、その後、ステップＳ１５においてトリップ記録処理を実行する。
【００５９】
これによれば、インバータ装置１０に予め組み込まれたトリップ動作のみならず、各種信号やモニタ値に基づく任意の条件のより、多彩なトリップ動作を模擬した模擬トリップ動作を実行することができる。
【００６０】
以上説明した実施形態によれば、インバータ装置は、インバータ主回路の出力を停止させるトリップ動作を実行するトリップ手段と、トリップ動作を実行した後に自動で前記インバータ主回路の出力を再開させるリトライ動作を実行するリトライ手段と、を備えている。トリップ手段は、トリップ動作として、インバータ主回路に実際に生じた故障に基づく実際のトリップ動作と、前記実際のトリップ動作を模擬した模擬のトリップ動作と、を実行可能である。リトライ手段は、リトライ動作として、実際のトリップ動作の後に実行される実際のリトライ動作と、実際のリトライ動作を模擬した模擬のリトライ動作と、を実行可能である。これによれば、使用者は、インバータ主回路に実際に故障が発生していない場合であっても、特定の故障を想定した模擬的なトリップ動作及びリトライ動作を容易に再現することができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００６２】
図面中、１０はインバータ装置、１１はインバータ主回路、１７は制御回路（トリップ手段、リトライ手段）、１９は入出力回路（出力手段）、１９２は出力端子（出力手段）、２１は記録回路（記録手段）、５２はモータ（負荷）を示す。
【図１】
2015042029.tif 000003
【図２】
2015042029.tif 000004
【図３】
2015042029.tif 000005
【図４】
2015042029.tif 000006
【図５】
2015042029.tif 000007
【図６】
2015042029.tif 000008
【図７】
2015042029.tif 000009